(57)【要約】【課題】自家発電装置で発電した電力の余剰分を利用して湯水を沸き上げることが可能な電動式給湯機及び沸き上げ方法を提供する。【解決手段】電動式給湯機１０は、貯湯タンク１１と、自家用発電装置１４の発電により得られる自家発電電力を利用した標準加熱能力又は標準加熱能力より大きい熱量を発生させる高加熱能力による貯湯タンク１１内の湯水の沸き上げ、及び、商用発電設備１６から供給される外部電力を利用した標準加熱能力による貯湯タンク１１内の湯水の沸き上げを行う加熱手段１２と、自家発電電力の余剰電力の値を外部２２から得て、加熱手段１２に、余剰電力の値が所定値以上の際、高加熱能力による貯湯タンク１１内の湯水の沸き上げを行わせ、余剰電力の値が所定値未満の際、標準加熱能力による貯湯タンク１１内の湯水の沸き上げを行わせる制御手段１３とを備える。【選択図】図１
2017089970.tif 000002
【特許請求の範囲】
【請求項１】
貯湯タンクと、
自家用発電装置の発電により得られる自家発電電力を利用した標準加熱能力又は該標準加熱能力より大きい熱量を発生させる高加熱能力による前記貯湯タンク内の湯水の沸き上げ、及び、商用発電設備から供給される外部電力を利用した前記標準加熱能力による前記貯湯タンク内の湯水の沸き上げを行う加熱手段と、
前記自家発電電力の余剰電力の値を外部から得て、前記加熱手段に、前記余剰電力の値が所定値以上の際、前記高加熱能力による前記貯湯タンク内の湯水の沸き上げを行わせ、前記余剰電力の値が前記所定値未満の際、前記標準加熱能力による前記貯湯タンク内の湯水の沸き上げを行わせる制御手段とを備えることを特徴とする電動式給湯機。
【請求項２】
請求項１記載の電動式給湯機において、前記制御手段は、翌日の非深夜電力時間帯での前記自家発電電力の余剰電力の予測値を外部から得て、前記加熱手段が翌日の前記非深夜電力時間帯に前記高加熱能力による沸き上げによって前記貯湯タンク内の湯水に与える日中沸き上げ熱量の予測値を求めて、前記加熱手段による深夜電力時間帯の夜間沸き上げによって前記貯湯タンク内の湯水に保有させるべき夜間沸き上げ後熱量を算出し、前記加熱手段に該夜間沸き上げを行わせることを特徴とする電動式給湯機。
【請求項３】
請求項２記載の電動式給湯機において、前記夜間沸き上げが開始されるまで、前記制御手段は、間欠的に外部から新たな前記余剰電力の予測値を取得し、該新たな前記余剰電力の予測値を取得する度に前記夜間沸き上げ後熱量の算出を行うことを特徴とする電動式給湯機。
【請求項４】
請求項２又は３記載の電動式給湯機において、前記夜間沸き上げ中、前記制御手段は、間欠的に外部から新たな前記余剰電力の予測値を取得し、該新たな余剰電力の予測値を取得する度に、該新たな余剰電力の予測値を基に前記夜間沸き上げ後熱量を算出し、該夜間沸き上げ後熱量から前記貯湯タンク内の湯水に保有されている熱量を差し引いた値Ｗが零以下である場合、前記加熱手段に前記夜間沸き上げを停止させ、該値Ｗが零より大きい場合、該加熱手段に該夜間沸き上げを継続させることを特徴とする電動式給湯機。
【請求項５】
請求項１〜４のいずれか１項に記載の電動式給湯機において、前記制御手段は、ＨＥＭＳコントローラから前記余剰電力の予測値を得ることを特徴とする電動式給湯機。
【請求項６】
請求項１〜５のいずれか１項に記載の電動式給湯機において、前記自家用発電装置は太陽光発電装置であることを特徴とする電動式給湯機。
【請求項７】
自家用発電装置の発電により得られる自家発電電力の余剰電力の値を得る工程Ｓ１と、
加熱手段に、前記余剰電力の値が所定値以上の際、標準加熱能力より大きい熱量を発生させる高加熱能力によって貯湯タンク内の湯水の沸き上げを行わせ、前記余剰電力の値が前記所定値未満の際、前記標準加熱能力による前記貯湯タンク内の湯水の沸き上げを行わせる工程Ｓ２とを有することを特徴とする沸き上げ方法。
【請求項８】
請求項７記載の沸き上げ方法において、翌日の非深夜電力時間帯での前記自家発電電力の余剰電力の予測値を得て、前記加熱手段が翌日の前記非深夜電力時間帯に前記高加熱能力による沸き上げによって前記貯湯タンク内の湯水に与える日中沸き上げ熱量の予測値を求める工程Ｓ３と、
前記日中沸き上げ熱量の予測値を基に、前記加熱手段による深夜電力時間帯の夜間沸き上げによって前記貯湯タンク内の湯水に保有させるべき夜間沸き上げ後熱量を算出する工程Ｓ４と、
前記加熱手段に前記夜間沸き上げ後熱量を基にした前記夜間沸き上げを行わせる工程Ｓ５とを、更に有することを特徴とする沸き上げ方法。
【請求項９】
請求項８記載の沸き上げ方法において、前記夜間沸き上げが開始されるまで、前記工程Ｓ３を間欠的に行い、新たな前記日中沸き上げ熱量の予測値を求める度に前記工程Ｓ４にて新たな前記夜間沸き上げ後熱量を算出することを特徴とする沸き上げ方法。
【請求項１０】
請求項８又は９記載の沸き上げ方法において、前記夜間沸き上げ中、間欠的に新たな前記余剰電力の予測値を取得する工程Ｓ６と、
前記工程Ｓ６で前記新たな余剰電力の予測値を取得する度に、該新たな余剰電力の予測値を基に前記夜間沸き上げ後熱量を算出する工程Ｓ７と、
前記工程Ｓ７で算出した前記夜間沸き上げ後熱量から前記貯湯タンク内の湯水に保有されている熱量を差し引いた値Ｗが零以下である場合、前記加熱手段に前記夜間沸き上げを停止させ、該値Ｗが零より大きい場合、該加熱手段に該夜間沸き上げを継続させる工程Ｓ８を、更に有することを特徴とする沸き上げ方法。
【発明の詳細な説明】
【技術分野】
【０００１】
本発明は、電力をエネルギー源にして貯湯タンク内の湯水を沸き上げる電動式給湯機及び沸き上げ方法に関する。
【背景技術】
【０００２】
近年、外部の商用発電設備から供給された電力に加えて、自家発電装置の発電によって生じた電力を用いて、貯湯タンク内の湯水を沸き上げる電動式給湯機の利用が進んでいる。そのような電動式給湯機の具体例が、特許文献１、２に記載されている。
特許文献１には、太陽光発電設備に直接接続され、太陽光発電設備の発電量のうち湯水の沸き上げに用いることのできる電力の翌日の予測値を基に、夜間に沸き上げる量を調整し、太陽光発電により得られる電力を有効に利用する電動式給湯機（貯湯式給湯システム）が記載されている。
【０００３】
特許文献２には、ＨＥＭＳ（Ｈｏｍｅ  Ｅｎｅｒｇｙ  Ｍａｎａｇｅｍｅｎｔ  Ｓｙｓｔｅｍ）のコントローラを介して太陽光発電モジュールに接続された電動式給湯機（電気給湯装置）が開示されている。この電動式給湯機は、太陽光発電により得られる電力の利用量と商用発電設備からの電力の利用量を調整して、使用電力のコストダウンを図ることができる。
【先行技術文献】
【特許文献】
【０００４】
【特許文献１】特開２０１３−１４８２８７号公報
【特許文献２】特開２０１３−２４５８３９号公報
【発明の概要】
【発明が解決しようとする課題】
【０００５】
ところで、電動式給湯機には、貯湯タンク内の湯水に単位時間当たり所定の熱量を与える標準加熱能力が、モデルごとに設定されており、従来の電動式給湯機は、沸き上げ運転の際、標準加熱能力で沸き上げを行っていた。そのため、従来の電動式給湯機においては、自家発電装置の発電で得られる電力の大きさに応じて、電動式給湯機の電力消費量を増減させておらず、自家発電装置の発電で得られる電力に余剰分がある場合に、その余剰分を沸き上げ運転で利用していないという課題があった。
本発明は、かかる事情に鑑みてなされるもので、自家発電装置で発電した電力の余剰分を利用して湯水を沸き上げることが可能な電動式給湯機及び沸き上げ方法を提供することを目的とする。
【課題を解決するための手段】
【０００６】
前記目的に沿う第１の発明に係る電動式給湯機は、貯湯タンクと、自家用発電装置の発電により得られる自家発電電力を利用した標準加熱能力又は該標準加熱能力より大きい熱量を発生させる高加熱能力による前記貯湯タンク内の湯水の沸き上げ、及び、商用発電設備から供給される外部電力を利用した前記標準加熱能力による前記貯湯タンク内の湯水の沸き上げを行う加熱手段と、前記自家発電電力の余剰電力の値を外部から得て、前記加熱手段に、前記余剰電力の値が所定値以上の際、前記高加熱能力による前記貯湯タンク内の湯水の沸き上げを行わせ、前記余剰電力の値が前記所定値未満の際、前記標準加熱能力による前記貯湯タンク内の湯水の沸き上げを行わせる制御手段とを備える。
【０００７】
第１の発明に係る電動式給湯機において、前記制御手段は、翌日の非深夜電力時間帯での前記自家発電電力の余剰電力の予測値を外部から得て、前記加熱手段が翌日の前記非深夜電力時間帯に前記高加熱能力による沸き上げによって前記貯湯タンク内の湯水に与える日中沸き上げ熱量の予測値を求めて、前記加熱手段による深夜電力時間帯の夜間沸き上げによって前記貯湯タンク内の湯水に保有させるべき夜間沸き上げ後熱量を算出し、前記加熱手段に該夜間沸き上げを行わせるのが好ましい。
【０００８】
第１の発明に係る電動式給湯機において、前記夜間沸き上げが開始されるまで、前記制御手段は、間欠的に外部から新たな前記余剰電力の予測値を取得し、該新たな前記余剰電力の予測値を取得する度に前記夜間沸き上げ後熱量の算出を行うのが好ましい。
【０００９】
第１の発明に係る電動式給湯機において、前記夜間沸き上げ中、前記制御手段は、間欠的に外部から新たな前記余剰電力の予測値を取得し、該新たな余剰電力の予測値を取得する度に、該新たな余剰電力の予測値を基に前記夜間沸き上げ後熱量を算出し、該夜間沸き上げ後熱量から前記貯湯タンク内の湯水に保有されている熱量を差し引いた値Ｗが零以下である場合、前記加熱手段に前記夜間沸き上げを停止させ、該値Ｗが零より大きい場合、該加熱手段に該夜間沸き上げを継続させるのが好ましい。
【００１０】
第１の発明に係る電動式給湯機において、前記制御手段は、ＨＥＭＳコントローラから前記余剰電力の予測値を得るのが好ましい。
【００１１】
第１の発明に係る電動式給湯機において、前記自家用発電装置は太陽光発電装置であるのが好ましい。
【００１２】
前記目的に沿う第２の発明に係る沸き上げ方法は、自家用発電装置の発電により得られる自家発電電力の余剰電力の値を得る工程Ｓ１と、加熱手段に、前記余剰電力の値が所定値以上の際、標準加熱能力より大きい熱量を発生させる高加熱能力によって貯湯タンク内の湯水の沸き上げを行わせ、前記余剰電力の値が前記所定値未満の際、前記標準加熱能力による前記貯湯タンク内の湯水の沸き上げを行わせる工程Ｓ２とを有する。
【００１３】
第２の発明に係る沸き上げ方法において、翌日の非深夜電力時間帯での前記自家発電電力の余剰電力の予測値を得て、前記加熱手段が翌日の前記非深夜電力時間帯に前記高加熱能力による沸き上げによって前記貯湯タンク内の湯水に与える日中沸き上げ熱量の予測値を求める工程Ｓ３と、前記日中沸き上げ熱量の予測値を基に、前記加熱手段による深夜電力時間帯の夜間沸き上げによって前記貯湯タンク内の湯水に保有させるべき夜間沸き上げ後熱量を算出する工程Ｓ４と、前記加熱手段に前記夜間沸き上げ後熱量を基にした前記夜間沸き上げを行わせる工程Ｓ５とを、更に有するのが好ましい。
【００１４】
第２の発明に係る沸き上げ方法において、前記夜間沸き上げが開始されるまで、前記工程Ｓ３を間欠的に行い、新たな前記日中沸き上げ熱量の予測値を求める度に前記工程Ｓ４にて新たな前記夜間沸き上げ後熱量を算出するのが好ましい。
【００１５】
第２の発明に係る沸き上げ方法において、前記夜間沸き上げ中、間欠的に新たな前記余剰電力の予測値を取得する工程Ｓ６と、前記工程Ｓ６で前記新たな余剰電力の予測値を取得する度に、該新たな余剰電力の予測値を基に前記夜間沸き上げ後熱量を算出する工程Ｓ７と、前記工程Ｓ７で算出した前記夜間沸き上げ後熱量から前記貯湯タンク内の湯水に保有されている熱量を差し引いた値Ｗが零以下である場合、前記加熱手段に前記夜間沸き上げを停止させ、該値Ｗが零より大きい場合、該加熱手段に該夜間沸き上げを継続させる工程Ｓ８を、更に有するのが好ましい。
【発明の効果】
【００１６】
第１の発明に係る電動式給湯機及び第２の発明に係る沸き上げ方法によれば、加熱手段に、余剰電力の値が所定値以上の際、標準加熱能力より大きい熱量を発生させる高加熱能力による貯湯タンク内の湯水の沸き上げを行わせるので、自家発電装置で発電した電力の余剰分を利用可能である。
【図面の簡単な説明】
【００１７】
【図１】本発明の一実施の形態に係る電動式給湯機の説明図である。
【図２】（Ａ）、（Ｂ）はそれぞれ、貯湯タンクに与えられる熱量の同電動式給湯機を採用した場合の時刻に対する値及び比較例を採用した場合の時刻に対する値を示すグラフである。
【発明を実施するための形態】
【００１８】
続いて、添付した図面を参照しつつ、本発明を具体化した実施の形態につき説明し、本発明の理解に供する。
図１に示すように、本発明の一実施の形態に係る電動式給湯機１０は、貯湯タンク１１と、貯湯タンク１１内の湯水の沸き上げを行う加熱手段１２と、加熱手段１２に湯水の沸き上げを行わせる制御手段１３とを備えている。以下、詳細に説明する。
【００１９】
電動式給湯機１０は、図１に示すように、自家用発電装置の一例である太陽光発電装置１４に分電盤１５を介して接続され、商用発電設備１６に外部送電網１７及び分電盤１５を介して接続されている。なお、図１において、太線は電力供給用の接続線を意味し、通常の太さの線は信号伝達用の接続線を意味する。太陽光発電装置１４は、太陽光を吸収して発電した電力（以下、「自家発電電力」とも言う）を分電盤１５に供給でき、分電盤１５は、自家発電電力を電動式給湯機１０や図示しない電気製品（例えば、冷蔵庫や照明器具）に供給する。
【００２０】
電動式給湯機１０は、図１に示すように、筺体１８内に収められた貯湯タンク１１及び制御手段１３と、筺体１８外に設けられた加熱手段１２を具備している。
本実施の形態において、加熱手段１２は、ヒートポンプサイクルを利用して大気から吸収した熱を貯湯タンク１１内の湯水に与えるヒートポンプユニットであり、自家発電電力又は商用発電設備１６から供給される電力（以下、「外部電力」とも言う）を利用して作動し、貯湯タンク１１内の湯水を沸き上げる。
【００２１】
本実施の形態では、加熱手段１２の貯湯タンク１１内の湯水の沸き上げに、標準加熱能力による沸き上げと、標準加熱能力より大きい熱量を発生させる高加熱能力による沸き上げが設定されている。
標準加熱能力による沸き上げとは、加熱手段１２が貯湯タンク１１内の湯水に対し単位時間当たり所定の熱量Ｓを与える状態を維持する沸き上げを意味し、所定の熱量Ｓは、電動式給湯機の製品ごとに予め定められた特定の値である。
【００２２】
高加熱能力による沸き上げとは、加熱手段１２が貯湯タンク１１内の湯水に対し単位時間当たりに与える熱量Ｈが所定の熱量Ｓより大きい沸き上げであり、本実施の形態において、熱量Ｈは自家発電電力の大きさ等に応じて変化する。
加熱手段１２は、自家発電電力を利用した貯湯タンク１１内の湯水の沸き上げを、標準加熱能力又は高温加熱能力により行うことができ、外部電力を利用した貯湯タンク１１内の湯水の沸き上げを標準加熱能力により行うことができる。
【００２３】
制御手段１３は、情報処理用のチップや記憶デバイス等の電子部品を搭載した基盤であり、記憶デバイスに格納されたソフトウェアプログラムに従って、加熱手段１２に指令信号を送って加熱手段１２を作動させる。制御手段１３には、貯湯タンク１１内の湯水の温度を計測する図示しない温度センサが接続されている。制御手段１３は、温度センサから貯湯タンク１１内の湯水の温度情報を取得し、貯湯タンク１１内の湯水全体が有する熱量を算出することができる。
【００２４】
分電盤１５には、ルータ１９及びインターネット網２０を経由して外部サーバ２１に接続されたＨＥＭＳコントローラ２２が接続されている。ＨＥＭＳコントローラ２２は、通信デバイス及びマイクロコンピュータを有し、太陽光発電装置１４から分電盤１５に入力されている自家発電電力量、商用発電設備１６から分電盤１５に入力されている外部電力量、及び、分電盤１５から電動式給湯機１０や他の電気製品に出力されている電力量（以下、「使用電力量」とも言う）をそれぞれ検出することができる。
【００２５】
ＨＥＭＳコントローラ２２は、自家発電電力量、外部電力量及び使用電力量を連続的にあるいは間欠的にそれぞれ検出し、自家発電電力量から使用電力量を差し引いた自家発電電力の余剰電力の値を算出する。以下、「自家発電電力の余剰電力」を単に「余剰電力」とも言う。
制御手段１３は、ＨＥＭＳコントローラ２２から（即ち、外部から）余剰電力の値を連続的にあるいは間欠的に得ることができ、取得した余剰電力の値が所定値Ｐ以上の際、加熱手段１２に高加熱能力による貯湯タンク１１内の湯水の沸き上げを行わせ、余剰電力の値が所定値Ｐ未満の際、加熱手段１２に標準加熱能力による貯湯タンク１１内の湯水の沸き上げを行わせる。
【００２６】
このように余剰電力の値に応じて高加熱能力による沸き上げと標準加熱能力による沸き上げを切り替えることにより、図２（Ａ）に示すように、余剰電力の値が所定値Ｐ以上である時刻Ｔ１〜Ｔ２において、余剰電力を利用する沸き上げ運転の影響で、単位時間当たりに貯湯タンク１１内の湯水に与えられる熱量が、所定の熱量Ｓを上回ることとなる。そのため、本実施の形態に係る電動式給湯機１０においては、標準加熱能力による沸き上げのみを行う比較例に係る図２（Ｂ）に示す結果と比較して、時刻Ｔ１〜Ｔ２において、貯湯タンク１１内の湯水に与えられる総熱量が多くなる。
【００２７】
また、ＨＥＭＳコントローラ２２は、自家発電電力量、外部電力量及び使用電力量それぞれについて、検出を行った時刻情報を各検出値に付加し、インターネット網２０を介して外部サーバ２１に送信可能である。
外部サーバ２１は、ＨＥＭＳコントローラ２２から受信した情報や天気予測情報等を基に、翌日の各時刻における予想使用電力量及び翌日の各時刻における予想自家発電電力量を求めて、翌日の各時刻における自家発電電力の余剰電力の予測値（予想自家発電電力量から予想使用電力量を差し引いた値）を算出し、算出した翌日の各時刻における余剰電力の予測値をＨＥＭＳコントローラ２２に送信する。
以下、「自家発電電力の余剰電力」を単に「余剰電力」とも言う。
【００２８】
制御手段１３は、アダプタ２３及びルータ１９を介してＨＥＭＳコントローラ２２に接続され、ＨＥＭＳコントローラ２２から翌日の各時刻における余剰電力の予測値を受信することができる。なお、制御手段１３は、ルータ１９に対し有線接続であっても、無線接続であってもよい。
ところで、外部電力の使用料金は、深夜電力時間帯（例えば、２３時〜８時の時間帯）と非深夜電力時間帯（例えば、８時〜２３時の時間帯）で単価が異なり、深夜電力時間帯の単価は、非深夜電力時間帯の単価より低い。よって、非深夜電力時間帯における外部電力の使用量を少なくすることで、外部電力の使用料金を抑制することができる。
【００２９】
本実施の形態では、自家用発電装置に太陽光発電装置１４を採用しており、日本国においては、太陽光発電装置１４は日中、即ち、非深夜電力時間帯に発電することから、余剰電力が発生するのは非深夜電力時間帯に限られる。
制御手段１３は、深夜電力時間帯が始まるまでに、翌日の非深夜電力時間帯での各時刻における余剰電力の予測値をＨＥＭＳコントローラ２２から（即ち、外部から）得て、取得した翌日の非深夜電力時間帯での各時刻における余剰電力の予測値を基に、翌日の非深夜電力時間帯において、加熱手段１２が高加熱能力による沸き上げによって貯湯タンク１１内の湯水に与える日中沸き上げ熱量の予測値を求める。
【００３０】
そして、制御手段１３は、深夜電力時間帯が始まるまでに、非深夜電力時間帯に貯湯タンク１１内の湯水に与えられた熱量の過去の実績と日中沸き上げ熱量の予測値を基に、加熱手段１２による深夜電力時間帯の外部電力を利用した夜間沸き上げによって貯湯タンク１１内の湯水に保有（確保）させるべき夜間沸き上げ後熱量を算出し、算出した夜間沸き上げ後熱量を深夜電力時間帯が終了するまでに加熱手段１２が貯湯タンク１１内の湯水に与えるべく、加熱手段１２に夜間沸き上げを行わせる。
【００３１】
このように翌日の余剰電力の予測値を基に日中沸き上げ熱量の予測値を求めて夜間沸き上げ後熱量を算出し、夜間沸き上げを制御することによって、加熱手段が貯湯タンク内の湯水の沸き上げを標準加熱能力のみによって行うことを前提に日中沸き上げ熱量の予測値及び夜間沸き上げ後熱量を算出する場合に比べ、夜間沸き上げに使用される外部電力量の合計値を低減することができる。これに加え、非深夜電力時間帯においては、余剰電力を利用した沸き上げを行えるので、結果として、一日を通した合計の外部電力を抑制可能である。
【００３２】
本実施の形態においては、加熱手段１２による夜間沸き上げが開始されるまで、制御手段１３が、間欠的にＨＥＭＳコントローラ２２から新たな余剰電力の予測値を取得し、新たな余剰電力の予測値を取得する度に夜間沸き上げ後熱量を算出し、最新の夜間沸き上げ後熱量を基に、加熱手段１２に夜間沸き上げを開始させるタイミングを決定する。ＨＥＭＳコントローラ２２が算出する余剰電力の予測値は、時間の経過と共に、例えば、翌日の天気の予測の変化によって、変わることがあるため、最新の余剰電力の予測値を基に夜間沸き上げ後熱量を算出して、夜間沸き上げを行うことは、余剰電力を利用した沸き上げを促進する観点において好適である。
【００３３】
夜間沸き上げが行われている間、制御手段１３は、間欠的にＨＥＭＳコントローラ２２から新たな余剰電力の予測値を取得し、新たな余剰電力の予測値を取得する度に、新たな余剰電力の予測値を基に夜間沸き上げ後熱量を算出し、その夜間沸き上げ後熱量から貯湯タンク１１内の湯水全体に現在保有されている熱量を差し引いた値Ｗが零以下である場合、加熱手段１２に夜間沸き上げを停止させ、値Ｗが零より大きい場合、加熱手段１２に夜間沸き上げを継続させる。
【００３４】
ＨＥＭＳコントローラ２２が算出する余剰電力の予測値は、時間の経過と共に変化することがあるため、最新の余剰電力の予測値を基準に夜間沸き上げを完了するタイミングを決定することによって、深夜電力時間帯後の非深夜電力時間帯に行われる沸き上げに利用される外部電力量を効果的に抑制することができる。
また、一旦、夜間沸き上げが終了した後も、深夜電力時間帯において、制御手段１３は、間欠的にＨＥＭＳコントローラ２２から新たな余剰電力の予測値を取得し、新たな余剰電力の予測値を取得する度に、新たな余剰電力の予測値を基に夜間沸き上げ後熱量を算出し、算出された夜間沸き上げ後熱量が貯湯タンク１１内の湯水全体に現在保有されている熱量より少なければ、夜間沸き上げを再開する。
【００３５】
次に、電動式給湯機１０を用いた本発明の一実施の形態に係る沸き上げ方法について説明する。電動式給湯機１０を用いた沸き上げ方法は、余剰電力の値を得る工程Ｓ１と、加熱手段１２に、余剰電力の値が所定値Ｐ以上の際、高加熱能力によって貯湯タンク１１内の湯水の沸き上げを行わせ、余剰電力の値が所定値Ｐ未満の際、標準加熱能力による貯湯タンク１１内の湯水の沸き上げを行わせる工程Ｓ２とを有する。
【００３６】
また、本実施の形態においては、電動式給湯機１０を用いた沸き上げ方法が、更に、翌日の余剰電力の予測値を得て、その余剰電力の予測値を基に翌日の日中沸き上げ熱量の予測値を求める工程Ｓ３と、翌日の日中沸き上げ熱量の予測値を基に、夜間沸き上げ後熱量を算出する工程Ｓ４と、加熱手段１２に夜間沸き上げ後熱量を基にした夜間沸き上げを行わせる工程Ｓ５とを有する。しかも、夜間沸き上げが開始されるまで、工程Ｓ３を間欠的に行って、新たに取得した翌日の余剰電力の予測値を基に新たな翌日の日中沸き上げ熱量の予測値を求め、翌日の日中沸き上げ熱量の予測値を求める度に工程Ｓ４にて新たな夜間沸き上げ後熱量を算出する。
【００３７】
そして、本実施の形態においては、夜間沸き上げが行われている間、間欠的に新たな翌日の余剰電力の予測値を取得する工程Ｓ６と、工程Ｓ６で新たな翌日の余剰電力の予測値を取得する度に、その新たな翌日の余剰電力の予測値を基に夜間沸き上げ後熱量を算出する工程Ｓ７と、工程Ｓ７で算出した夜間沸き上げ後熱量から貯湯タンク１１内の湯水に保有されている熱量を差し引いた値Ｗが零以下である場合、加熱手段１２に夜間沸き上げを停止させ、値Ｗが零より大きい場合、加熱手段１２に夜間沸き上げを継続させる工程Ｓ８を更に有している。
【００３８】
以上、本発明の実施の形態を説明したが、本発明は、上記した形態に限定されるものでなく、要旨を逸脱しない条件の変更等は全て本発明の適用範囲である。
例えば、自家用発電装置は太陽光発電装置に限定されず、風力発電装置や地熱発電装置であってもよい。
また、加熱手段は電力を供給されて作動し貯湯タンク内の湯水を沸き上げるものであればよく、ヒートポンプユニットに限定されない。
そして、加熱手段が高加熱能力による沸き上げによって貯湯タンク内の湯水に対して単位時間当たりに与える熱量は固定値であってもよい。
【符号の説明】
【００３９】
１０：電動式給湯機、１１：貯湯タンク、１２：加熱手段、１３：制御手段、１４：太陽光発電装置、１５：分電盤、１６：商用発電設備、１７：外部送電網、１８：筺体、１９：ルータ、２０：インターネット網、２１：外部サーバ、２２：ＨＥＭＳコントローラ、２３：アダプタ
【図１】
2017089970.tif 000003
【図２】
2017089970.tif 000004